(57)【特許請求の範囲】
【請求項１】
情報記載部を有した返信用葉書を分離可能にして備え、該返信用葉書に、剥離可能な接着手段を裏面に有したラベルと前記ラベルの接着手段を剥離可能に覆う剥離紙とからなる隠蔽用ラベルシートを、前記返信用葉書の情報記載部に隠蔽用ラベルシートの前記ラベルが対応するようにして重ね合せてなり、
前記隠蔽用ラベルシートは、前記剥離紙の少なくとも一辺側を前記ラベルより側方に延設してなる延長部を有して、該延長部が前記返信用葉書の領域外に接着され、かつ、前記延長部にスリットにてめくり上げ片が切り込み形成されて、該めくり上げ片のスリットをラベル下の剥離紙に延設してめくり上げ片の引き起こしによりラベルが引き起こし可能に設けられ、前記剥離紙における延長部とは反対側の一辺側に沿ってスリットが剥離紙に切り込まれていることを特徴とする帳票。
【発明の詳細な説明】
【０００１】
【発明の属する技術分野】
本発明は所定情報を隠蔽する隠蔽用ラベルシートを一体的に備えた帳票に関するものである。
【０００２】
【発明が解決しようとする課題】
従来からダイレクトメールなどのように個人宛に新商品の紹介や新サービスの紹介を行う場合、各種のパンフレットやカタログなどを送るようにしており、受取人側からの新規注文や入会申込などを受けるために返信用葉書をも同封して送付するようにしている。そして、この返信用葉書に記載された注文内容や入会情報などの個人的な情報が第三者の目に曝されることのないようにするため、近年においては剥離可能な接着手段を備えたラベルとこのラベルの接着手段を剥離可能に覆う剥離紙とからなる隠蔽用ラベルシートを同封するようにしており、返信用葉書を送付する側で所要事項を記載した箇所を前記隠蔽用ラベルシートのラベルで覆うようにしていた。
【０００３】
しかしながら、上記隠蔽用ラベルシートを用いて所要の箇所を隠蔽する操作が受取人側などで行えるようにする場合、返信用葉書の領域内に隠蔽用ラベルシートを取り付けて、この取り付けられた状態から剥離紙を取り除くことでラベルを貼り付けるようにしているため、前記返信用葉書として記入可能な領域がその隠蔽用ラベルシートの取付部分で狭められることとなり、そして、多くの情報を隠蔽すべくラベルを大型にすると前述の取付部分を広くなってしまい、返信用葉書の記入領域が小さくなってしまうという不都合がある。
そこで本発明は上記した事情に鑑み、隠蔽すべき箇所に対応させた状態を維持しながらラベルの貼り付けが行えるとともに、返信用葉書の記入領域が狭められないようにする隠蔽用ラベルシートを得ることを課題とし、情報の隠蔽が容易に、かつ、確実に行えるようにし、さらに、返信用葉書への隠蔽情報領域を広く確保することを目的とする。
【０００４】
【課題を解決するための手段】
本発明は上記課題を考慮してなされたもので、情報記載部を有した返信用葉書を分離可能にして備え、該返信用葉書に、剥離可能な接着手段を裏面に有したラベルと前記ラベルの接着手段を剥離可能に覆う剥離紙とからなる隠蔽用ラベルシートを、前記返信用葉書の情報記載部に隠蔽用ラベルシートの前記ラベルが対応するようにして重ね合せてなり、前記隠蔽用ラベルシートは、前記剥離紙の少なくとも一辺側を前記ラベルより側方に延設してなる延長部を有して、該延長部が前記返信用葉書の領域外に接着され、かつ、前記延長部にスリットにてめくり上げ片が切り込み形成されて、該めくり上げ片のスリットをラベル下の剥離紙に延設してめくり上げ片の引き起こしによりラベルが引き起こし可能に設けられ、前記剥離紙における延長部とは反対側の一辺側に沿ってスリットが剥離紙に切り込まれていることを特徴とする帳票を提供して、上記課題を解消するものである。
【０００５】
【発明の実施の形態】
つぎに本発明を図１から図４に示す実施の形態に基づいて詳細に説明する。
図中１は隠蔽用ラベルシートで、該隠蔽用ラベルシート１はラベル２と剥離紙３とからなるものであり、前記ラベル２の裏面側には剥離可能となるように接着力を調整した粘着剤からなる接着手段４が設けられて、この接着手段４を前記剥離紙３が剥離可能に覆っている。
そして、ラベルシート１の上記剥離紙３においては図１に示すようにその剥離紙３の一辺側を上位のラベル２より側方に延設した延長部５を有している。さらに前記延長部５には、ラベル側とは反対側が連接した略コ字形状のスリット６を入れることによってめくり上げ片７が切り込み形成されており、前記延長部５においてこのめくり上げ片７を単独でめくることができるように設けられている。また、ラベル２の接着手段４を覆っている部分の剥離紙３にも上記めくり上げ片７を切り込み形成しているスリット６がラベル２を切り込まない深さで二条の平行な状態にして延設している。このように前記スリット６がラベル２の下の剥離紙３にも延設されていることから、前記めくり上げ片７を引き起こすことでラベル２の延長部５側が引き起こされるように設けられている。さらに、この隠蔽用ラベルシート１においては、剥離紙３における前記延長部５とは反対側の一辺側に沿って一条のスリット８が剥離紙３に切り込まれている。このようにスリット８によって剥離紙３は二つに分断されており、後述するようにスリット８から前記延長部５とは反対側に位置している剥離紙３の分断片３ａを選択的に剥ぎ取ることができるようにしている。
【０００６】
図３は上記隠蔽用ラベルシート１を用いた帳票９を示している。前記帳票９はダイレクトメールなどのカタログやパンフレットとして構成されているものであって、この帳票中に切り取り用ミシン目１０によって返信用葉書１１が分離可能に区画されている。前記返信用葉書１１には注文情報や入会情報などを記載するための情報記載部１２が設けられている。さらに図示されているように、返信用葉書１１には上記隠蔽用ラベルシート１が重ね合わされており、その隠蔽用ラベルシート１における上記延長部５を返信用葉書１１以外の領域に接着固定するとともに、隠蔽用ラベルシート１のラベル２が返信用葉書１１の情報記載部に対応するように配置されている。前記延長部５を返信用葉書１１以外の領域に接着固定するに当ってめくり上げ片７は接着しない。例えば、図示した例にあっては、接着位置１３がめくり上げ片７の両側となるように設定されていて、後述するようにこの隠蔽用ラベルシート１全体を接着位置１３から折り上げたときにめくり上げ片７に折り癖を付け、隠蔽用ラベルシート１を戻したときにめくり上げ片７が折り起こされるようにしている。勿論、必ずしもめくり上げ片７の両側に接着位置を設定する必要はない。
上記隠蔽用ラベルシート１を用いて返信用葉書１１の情報記載部１２を隠蔽するには、まず、前述したようにこの隠蔽用ラベルシート１を接着位置１３（図４において←１３で示す）で折り起こして上記剥離紙３の分断片３ａを取り除き（図４（イ））、そののち、隠蔽用ラベルシート１を戻して接着手段４の表出部分を介してラベル２を返信用葉書１１に接着する。このとき、隠蔽用ラベルシート１は延長部５によって帳票９に接着されているため、単に元の位置に戻すという簡単な操作によって、ラベルの接着手段表出部分は適正位置に貼り付けられる。この後、図４（ロ）に示すように、折り癖が付いためくり上げ片７を持ってめくり上げるようにすることでラベル２の延長部５側の側辺２０が引き上げられる。そして、引き上げられた前記側辺２０を持ってラベル２と剥離紙３とを分離し、別けられた剥離紙３を図４（ハ）に示すように引き起こすようにして返信用葉書１１の上から除き、その後にラベル２を返信用葉書１１の上に貼り付けるようにする。この延長部５側の剥離紙３を取り除いた時点においてもラベル２はすでに接着手段４を介して返信用葉書１１に接着されているため、ラベル２の引き起こし部分を単にを返信用葉書側に戻すという簡単な操作で位置ずれを生じさせることなく適正に隠蔽情報を隠蔽する状態で貼り付けることができる。このようにして、ラベル２を貼り付けた後に返信用葉書１１を切り取り用ミシン目１０から分離する。
【０００７】
上記した実施の例において、めくり上げ片を一つ設けたものを示しているが、本発明はこれに限定されるものではない。また、めくり上げ片の形状も実施の例に限定されない。そして、上記隠蔽用ラベルシートにおけるラベルの接着手段を剥離可能に接着力が調整された接着剤からなるものとしたが、本発明はこれに限定されるものではなく、例えば、疑似接着された二層透明フィルム材の表裏に粘着剤を設けて前記二層透明フィルムの間から分離できるようにした接合シートを用いるようにしてもよい。
【０００８】
【発明の効果】
以上説明したように、本発明の帳票によれば、情報記載部を有した返信用葉書を分離可能にして備え、該返信用葉書に、剥離可能な接着手段を裏面に有したラベルと前記ラベルの接着手段を剥離可能に覆う剥離紙とからなる隠蔽用ラベルシートを、前記返信用葉書の情報記載部に隠蔽用ラベルシートの前記ラベルが対応するようにして重ね合せてなり、前記隠蔽用ラベルシートは、前記剥離紙の少なくとも一辺側を前記ラベルより側方に延設してなる延長部を有して、該延長部が前記返信用葉書の領域外に接着され、かつ、前記延長部にスリットにてめくり上げ片が切り込み形成されて、該めくり上げ片のスリットをラベル下の剥離紙に延設してめくり上げ片の引き起こしによりラベルが引き起こし可能に設けられ、前記剥離紙における延長部とは反対側の一辺側に沿ってスリットが剥離紙に切り込まれていることを特徴とするものである。このように、剥離紙の延長部に設けためくり上げ片のスリットをラベル下の剥離紙にも延長していることから前記めくり上げ片がラベル下に延設された状態となり、めくり上げ片を持って引き上げることでラベルの引き起こしが容易に行えるようになる。そして、この隠蔽用ラベルシートのラベルが、帳票中に構成された返信用葉書の情報記載部に対応するとともに、延長部を返信用葉書以外の領域に接着しているため、延長部とは反対側の位置であってスリットにより分離された剥離紙の剥ぎ取り、その剥ぎ取りにより表出した接着部分を介してのラベルの貼り付け、めくり上げ片によるラベルの側辺の引き起こし、ラベルの引き起こしによる剥離紙との分離、ラベルの貼り付けという手順で位置ずれを生じさせることなくラベルを所定位置に貼り付けることができ、情報の隠蔽が確実に行える。さらには、返信用葉書以外の領域に接着されているため、返信用葉書に対して隠蔽情報の記載が可能な領域を広く確保することができ、これをラベルにて確実に隠蔽できるようになるなど、実用性に優れた効果を奏するものである。
【図面の簡単な説明】
【図１】本発明に係る帳票における隠蔽用ラベルシートの一例を示すもので、（イ）はラベル側を示す説明図、（ロ）は剥離紙側を示す説明図である。
【図２】隠蔽用ラベルシートを断面で示す説明図である。
【図３】本発明の一例を隠蔽用ラベルシートが配置されている側から見た状態で概略的に示す説明図である。
【図４】ラベルの貼り付け手順を示す説明図である。
【符号の説明】
１…隠蔽用ラベルシート
２…ラベル
３…剥離紙
４…接着手段
５…延長部
６…スリット
７…めくり上げ片
８…スリット
９…帳票
１１…返信用葉書
１２…情報記載部
【図１】
0003772289.tif 000002
【図２】
0003772289.tif 000003
【図３】
0003772289.tif 000004
【図４】
0003772289.tif 000005